(57)【要約】【課題】返信時の情報を秘匿することができると共に、返信時の情報量が増大し、カードなどの同封ができる広告チラシ紙を提供する。【解決手段】広告情報４が掲載されたチラシ紙本体５（２５）に、返信用の封筒６（２６）または封筒の一部構成紙２４が付着されてなる広告チラシ紙１（２１）を構成する。【選択図】  図１
2005053013.tif 000002
【特許請求の範囲】
【請求項１】
広告情報が掲載されたチラシ紙本体に、返信用の封筒または封筒の一部構成紙が付着されてなることを特徴とする広告チラシ紙。
【請求項２】
広告情報が掲載されたチラシ紙本体に、返信用の封筒が付着されてなる広告チラシ紙であって、前記封筒の開封口辺以外の三辺のいずれか一辺に接着用延長片が延設され、この接着用延長片において封筒がチラシ紙本体に接着されると共に、前記接着用延長片と封筒本体との間にミシン目等の易切離部が形成されていることを特徴とする広告チラシ紙。
【請求項３】
広告情報が掲載されたチラシ紙本体に、返信用の封筒の一部構成紙が付着されてなる広告チラシ紙であって、前記一部構成紙の開封口形成部以外の三辺がチラシ紙本体に接着されていることを特徴とする広告チラシ紙。
【発明の詳細な説明】
【０００１】
【発明の属する技術分野】
本発明は、例えば新聞に折り込まれて配布されたり、街頭で配布される広告チラシ紙に関するものである。
【０００２】
【従来の技術】
従来、広告チラシ紙には、商品案内が印刷されると共に、商品注文欄やアンケート回答欄等が記載された返信用ハガキが付着されたものがあった。
【０００３】
【発明が解決しようとする課題】
しかしながら、従来の広告チラシ紙に付着された返信用ハガキでは、ハガキの記載内容が配達時などに見られるおそれがあり、情報を秘匿する点で問題があった。またハガキでは、記載情報量が限られ、またカード等を同封して返信できないという限界があり広告主はユーザーからの希望する情報等を十分に得ることができないという問題があった。
【０００４】
このように、ユーザーが返信時の情報の秘匿を望む場合や、広告主が返信時の情報量を多く望んだり、カードなどの同封を望む場合、従来のような返信用ハガキを付設した広告チラシ紙では、これらの要望を十分に満たすことができなかった。
【０００５】
本発明は、上記問題点に鑑み、返信時の情報を秘匿することができると共に、返信時の情報量が増大し、カードなどの同封ができる広告チラシ紙を提供することを目的とする。
【０００６】
【課題を解決するための手段】
本発明は上記目的を達成するため、広告情報が掲載されたチラシ紙本体に、返信用の封筒または封筒の一部構成紙が付着されてなることを特徴とする。本発明によれば、返信情報を記載したものを封筒に入れて郵送することで、返信時の情報を秘匿しうると共に、返信時の情報量が増大し、カードなどの同封が可能となり、ユーザーおよび広告主の希望に叶うことができる広告チラシ紙を提供することができる。
【０００７】
上記発明において、広告情報が掲載されたチラシ紙本体に、返信用の封筒が付着されてなる広告チラシ紙であって、前記封筒の開封口辺以外の三辺のいずれか一辺に接着用延長片が延設され、この接着用延長片において封筒がチラシ紙本体に接着されると共に、前記接着用延長片と封筒本体との間にミシン目等の易切離部が形成されているように構成すると好適である。このように構成にすることにより、従来と同様の広告チラシ本体を用い、これに封筒を接着するだけで、上記に述べた返信時における効果を得ることができ、さらに封筒をチラシ本体から切り離しやすく使い勝手のよいようにすることができる。
【０００８】
また上記発明において、広告情報が掲載されたチラシ紙本体に、返信用の封筒の一部構成紙が付着されてなる広告チラシ紙であって、前記一部構成紙の開封口形成部以外の三辺がチラシ紙本体に接着されているように構成すると好適である。このように構成することにより、従来と同様の広告チラシ本体に封筒の一部構成紙を接着するだけで、上記に述べた返信時における効果を得ることができ、さらに広告チラシ紙がかさばらずコンパクトになる。
【０００９】
【発明の実施の形態】
以下に本発明の実施形態を図１〜図５に基づいて詳細に説明する。
【００１０】
図１は、第一実施例に係る広告チラシ紙１を示す図である。この広告チラシ紙１は、一般家庭に配達される新聞に折り込まれるものであって、表面２および裏面３に広告情報４が印刷されたチラシ紙本体５と、そのチラシ紙本体５の所定箇所に一部が接着された返信用の封筒６とから構成されている。
【００１１】
前記チラシ紙本体５は、図１に示すように、Ｂ２版程度の大きさのもので、表面２および裏面３には広告内容の表題と商品案内などの広告情報４が印刷されている。また裏面３の左上には前記返信用封筒６が付着されており、その封筒の近傍には、例えば受取人が希望する商品名などを記載する商品注文欄や、アンケート結果を記載するアンケート回答欄や、プレゼントの応募欄などの必要事項記入欄７が印刷されている。なおこの必要事項記入欄７の周辺には、切り取り用の切り取り表示線８が設けられており、受取人が必要事項記入欄７に記入後、前記切り取り表示線８に沿ってハサミなどで切り取るのに便利なものとなっている。
【００１２】
前記返信用の封筒６は、図２に示すように、予め開封口辺９以外の三辺１０、１１、１２において、上面紙１３と下面紙１５とが張り合わせられた完成体の封筒である。なお開封口辺９の上面紙１３には封緘片１４が延設されており、下面紙１５の外面側には「のりしろ」という文字が印刷されている。そして封筒６を封緘する際には、封緘片１４を折り返してこれを下面紙１５の外面に糊付けすることで封緘することができる。また開封口辺９の反対側の辺１０には接着用延長片１７が延設され、この接着用延長片１７において封筒６がチラシ紙本体５に接着剤により接着されると共に、前記接着用延長片１７と封筒本体６との間にミシン目等の易切離部１８が形成されている。つまり、チラシ紙本体５に接着用延長片１７を介して接着された返信用封筒６は、接着用延長片１７の易切離部１８に沿って切り取るという極めて簡単な作業だけで得ることができる。なお上面紙１３の外面には返信先の住所、宛名を示す文字１９が印刷されており、受取人は郵送先を記入する必要はない。
【００１３】
そして、広告チラシ紙１の受取人は、返信用封筒６をチラシ紙本体５から切り離して封筒６を得、チラシ紙本体５の商品注文欄やアンケート回答欄やプレゼント応募欄などの必要事項記入欄７に記入して、これを切り取り表示線８に沿って切り取って、返信用封筒６に入れることができる大きさに折りたたんだ後、封筒６内に挿入し、封筒６の封緘片１４を折り返して「のりしろ」に糊付けするだけで、返信時の情報を秘匿しうると共に、返信時の情報量が増大し、カードなどの同封が可能となる返信手段と得ることができる。
【００１４】
次に、第二実施例に係る広告チラシを図３〜図５に基づいて説明する。
【００１５】
この広告チラシ紙２１は、表面２２および裏面２３に広告情報４が印刷されたチラシ紙本体２５に、封筒２６の一部構成紙２４が付着されてなっている。
【００１６】
前記チラシ紙本体２５は、図３に示すように、Ｂ２版程度の大きさのもので、表面２２および裏面２３には広告内容の表題と商品案内などの広告情報４が印刷されている。また図４に示すように、返信用封筒２６の下面紙にあたる一部構成紙２４がチラシ紙本体２５の裏面２３の左下隅部に接着剤３５を用いて接着されている。前記一部構成紙２４の下辺３２はチラシ紙本体２５の下辺に一致し、開封口形成部２９はチラシ紙本体２５の左辺に対し内側寄りで平行に配されており、この開封口形成部２９を除く三辺３０、３１、３２において、帯状に塗布した前記接着剤３５により、一部構成紙２４がチラシ紙本体２５に付着されている。
なおチラシ紙本体２５の前記開封口形成部２９の左側に位置する帯状の部分は封緘片３４として使用される。またチラシ紙本体２５の裏面２３の前記一部構成紙２４の近傍には、上記第一実施例と同様に、商品注文欄やアンケート回答欄やプレゼント応募欄などの必要事項記入欄７などが印刷されている。
【００１７】
一方、図５に示すように、チラシ紙本体２５の表面２２には、前記一部構成紙２４に表裏対応する箇所において、前記一部構成紙２４の輪郭と略一致する箇所に、切り取り表示線３８および「切り取り線」という文字２７が印刷されている。また前記切り取り表示線３８で囲まれた箇所には、返信先の住所、宛名を示す文字が印刷１９されている。
【００１８】
そして、広告チラシ紙２１の受取人は、返信用封筒２６を前記切り取り線３８に沿ってハサミなどでチラシ紙本体２５から切り取って封筒２６を得え、チラシ紙本体２５の商品注文欄やアンケート回答欄やプレゼント応募欄などの必要事項記入欄７に記入して、これを切り取って、返信用封筒２６に入れることができる大きさに折りたたんだ後、封筒２６内に挿入し、封筒２６の封緘片３４を折り返して前記一部構成紙２４に糊付けするだけで、返信時の情報を秘匿しうると共に、返信時の情報量が増大し、カードなどの同封が可能となる返信手段を得ることができる。しかも封筒２６の上面紙３３にあたる一部構成部２０がチラシ紙本体２５に形成されているため、その分、広告チラシ紙２１がかさばらずコンパクトになる。
【００１９】
【発明の効果】
本発明によれば、返信情報を記載したものをチラシ紙本体に付着された封筒に入れて郵送することで、返信時の情報を秘匿しうると共に、返信時の情報量が増大し、カードなどの同封が可能となり、ユーザーおよび広告主の希望に叶うことができる広告チラシ紙を提供することができる。
【図面の簡単な説明】
【図１】本発明の第一実施例の広告チラシ紙の裏面を示す図である。
【図２】本発明の第一実施例の返信用の封筒を示す図である。
【図３】本発明の第二実施例の広告チラシ紙の裏面を示す図である。
【図４】本発明の第二実施例の広告チラシ紙の裏面の一部を示す図である。
【図５】本発明の第二実施例の広告チラシ紙の表面の一部を示す図である。
【符号の説明】
１、２１  広告チラシ紙
５、２５  チラシ紙本体
６、２６  返信用の封筒
９  開封口辺
１０〜１２、３０〜３２  三辺
１７  接着用延長片
１８  易切離部
２４  一部構成紙
２９  開封口形成部
【図１】
2005053013.tif 000003
【図２】
2005053013.tif 000004
【図３】
2005053013.tif 000005
【図４】
2005053013.tif 000006
【図５】
2005053013.tif 000007